(57)【要約】【課題】ゴルフボールの汚れを拭き取り付着物を払い落とすコンパクトで嵩張らず、ポケットに入れて持ち歩けるゴルフボール払拭具を提供する。【解決手段】左右両辺部を互いに対向方向に押圧すると略筒状になるカバー１の任意部に長穴９を形成し、収納する刷毛５に固着した釦８をその長穴９から露出させると共にそのカバー１の任意位置に任意形状の落下防止紐４を介在して払拭布２を収納する。【選択図】図１
2008264437.tif 000002
【特許請求の範囲】
【請求項１】
左右両辺部を互いに対向方向に押圧すると略筒状になるカバーの任意部に長穴を形成し、収納する刷毛に固着した釦をその長穴から露出させると共に、そのカバーの任意位置に任意形状の落下防止紐を介在して払拭布を収納することを特徴とするゴルフボール払拭具。
【発明の詳細な説明】
【技術分野】
【０００１】  本発明は、ゴルフコースでグリーンにのったゴルフボールの汚れや、付着物を除去するゴルフボール払拭具に関する。
【背景技術】
【０００２】  従来、コースでのプレーで、グリーンにのったゴルフボールの汚れや付着物を除去するには、タオルで拭いて除去するのが主流であった。タオルがない場合は着衣に擦ったり、手で付着物を払い落していた。
【発明の開示】
【発明が解決しようとする課題】
【０００３】  ところが上記のゴルフボールを拭くタオルは、浴用タオルかハンドタオルでポケットに納まるサイズではなかった。そのため、キャディの携帯が主であり、プレーヤーの携帯には不向きであった。キャディレス傾向の現在、キャディのいないセルフプレーでカートをグリーン脇迄つけられる場合以外は殆どのプレーヤーはタオルを持たず、ゴルフボールの汚れは着衣か手で除去していた。このため着衣が汚れたり手が汚れるため不快感があり、又、汚れたままのボールをパッテングするのは気分的によくなく乱れの原因にもなっていた。【０００４】  本発明は、斯かる事情に鑑みてなされたもので、従来の前記問題を一挙に解決することが出来るゴルフボール払拭具を提供することを目的とする。
【課題を解決するための手段】
【０００５】  前記目的を達成するために、本発明のゴルフボール払拭具は、左右両辺部を互いに対向方向に押圧すると、略筒状になるカバーの任意部に長穴を形成し、収納する刷毛に固着した釦をその長穴から露出させると共に、そのカバーの任意位置に任意形状の落下防止紐を介在して払拭布を収納すことを特徴とする。【０００６】  この特徴によれば、ゴルフボールの汚れを拭き落とす払拭布と付着物を払い落とす刷毛とがコンパクトにカバー内に収納され、この刷毛にはカバー長穴部から表面に露出する釦が固着されている。払拭布には、引出し用の摘み片が縫着されていて、この払拭布の引き出し量を数段階に区分して引くことにより、その都度新しい面でゴルフボールを拭くことが出来る。この払拭布は落下防止紐を介在して折り畳んでいるため、カバーから抜けても落下防止紐が引っかかり行き成り落下することがない。この払拭布は持ち手の指で押し出しても良く、この場合、摘み片も不用となりコストダウンにもつながり、この払拭の機能をすべて片手で操作することが出来る。又、払拭布は両面を使えるため払拭面積も大きい。【０００７】  カバー内に収納されている刷毛は、カバー長穴部から露出している釦をスライドさせると刷毛の毛の部分がカバーから突出する、この突出した刷毛でボールの付着物を払い落とす。これにより、払拭布の汚れを軽減させることが出来る。【０００８】  払拭布を引き出し、カバーの左右対向辺を互いに指で押圧すると、カバーの対向する面が対称的に膨らみ略筒状になる。このとき払拭布も略同形状になり、この状態でボールを受けるため払拭面も広がり、このボールを回転させることにより簡単に払拭出来る。【０００９】  払拭布はカバーと着脱が簡単に出来るため、両面が汚れたときも洗ってすぐ使用出来る。
【発明の効果】
【００１０】  以上の様に、本発明のゴルフボール払拭具は、コンパクトでズボンのポケットに入れて持ち歩いても邪魔にならず非常に便利である。ゴルフボールの汚れは一旦刷毛で払い落としてから払拭布で拭くため、払拭布の汚れが軽減される。【００１１】  又、ゴルフクラブの濡れも拭き取ることが出来、雨天時のゴルフプレーでゴルフクラブのグリップが濡れて気になるときもすぐ対応出来る。【００１２】  尚、本発明において「刷毛」とはゴルフボールについた付着物を払い落とす用途のものを指し、「キャディレス」とはキャディのいないことを意とし「押圧」とは外から力を加える意である。又、落下防止紐の「紐」は糸も帯も含む。
【発明を実施するための最良の形態】
【００１３】  本発明の実施例の形態を添付図面に例示した本発明の実施例に基づいて以下に具体的に説明する。【００１４】  添付画面において、図１は本発明の一実施例に係るゴルフボール払拭具の一例を示す一部を破断した斜視図、図２はカバーから払拭布が引き出され、刷毛も突出し、カバーの対向辺を押圧してカバーが略筒状になった状態示す斜視図、図３は引き出された払拭布にゴルフボールが押し当てられた状態を示す側面図、図４はカバーから払拭布が外れた状態を示す斜視図である。【００１５】  図１〜図３において払拭布２と刷毛５はカバー１に収納され、この状態での形状は略板状で非常にコンパクトである。このため、ポケットに入れての持ち歩きが出来る。【００１６】  払拭布２の端縁には摘み片３が縫着され、これを摘むことで払拭布２の引き出しを容易にしている。【００１７】  払拭布２は折り畳まれてカバー１に収納されているが、この折り畳まれた払拭布２の対向面には落下防止紐４が通されその両端はカバー１の端縁にそれぞれ繋着され、払拭布２がカバー１から外れた場合の落下を防ぐ。【００１８】  刷毛５は払拭布２の外面とカバー１の内面との間に収納され刷毛５の植毛台７にはカバー１に形成された長穴９の位置部に露出している釦８が固着されている。このため釦８のスライド操作により刷毛５の毛６の部分がカバー１から突出したり引いたりする。【００１９】  カバー１の左右両辺を互いに対向方向に押圧するとカバー１の対抗面が対称的に膨らみ略筒状になる。この場合払拭布２も略同型状となる。このため、ゴルフボールを押し当てると払拭布２は略アサガオ形状になってボールを受ける為、ボールが安定して納まり、ボールを回転させて払拭することが容易に出来る。【００２０】  図４について説明すると、カバー１から外れた払拭布２はカバー１の左右両端辺に繋着された落下防止紐４に払拭布２をくぐらせて折り畳んだ状態であるため、カバー１と払拭布２が外れても片方だけが落下することはない。【００２１】  払拭布２の折り畳みが開いても落下防止紐４が側端縁に引っ掛かり外れて直に落下することはない。払拭布２の側端縁に凸凹を形成すると効果が大きい（図示せず）。【００２２】  以上、本発明の実施例について説したが、本発明はその実施例に限定されることはなく、本発明の範囲内で種々の実施例が可能である。たとえば前記実施例では落下防止紐４を払拭布２の折り畳んだ対向面に通すようにしたが、この落下防止紐４の端をそれぞれ、カバー１と払拭布２に繋着し露出としても良い。又、払拭布２の表面と裏面の材質を変えても良く、部分的に異質材を使用しても良い。
【図面の簡単な説明】
【００２３】
【図１】  本発明の一実施例に係るゴルフボール払拭具の一例を示す一部を破断した斜視図
【図２】  カバーから払拭布が引き出され、刷毛も突出し、カバーの対向辺を押圧してカバーが略筒状になった状態を示す斜視図
【図３】  引き出された払拭布にゴルフボールが押し当てられた状態を示す側面図
【図４】  カバーから払拭布が外れた状態を示す斜視図
【符号の説明】
【００２４】１．．．．．カバー
２．．．．．払拭布
３．．．．．摘み片
４．．．．．落下防止紐
５．．．．．刷毛
６．．．．．毛
７．．．．．植毛台
８．．．．．釦
９．．．．．長穴
【図１】
2008264437.tif 000003
【図２】
2008264437.tif 000004
【図３】
2008264437.tif 000005
【図４】
2008264437.tif 000006